(57)【要約】【課題】分離状態の二剤をスムーズに混合できる。【解決手段】二剤混合容器は、一端に口部を有すると共に内部に第一室Ｐを有する容器本体２と、内部に第二室Ｑを有していて容器本体２内に挿入する中容器３と、容器本体２と螺合して中容器３を封止するキャップ４とを備える。中容器３に設けたシールリング８を、容器本体２内のテーパ当接面６に当接させて第一室Ｐと第二室Ｑを分離して液密に封止する。中容器３は第二室Ｑに連通する開口部１０を壁部１１を介して周方向に３つ設け、開口部１０に対向する円錐台形状の流出ガイド１２を内部に設けた。キャップ４内に中容器３の口部の鍔部１５をリング状の突起部１６で液密に嵌合させる。二剤の混合時にはシールリング８をテーパ当接面６から離間させ、第二室のＢ液を第一室のＡ液と混合させる。【選択図】図２
2010202237.tif 000002
【特許請求の範囲】
【請求項１】
一端に口部を有していると共に内部に第一室を有する容器本体と、
内部に第二室を有していて前記容器本体内に挿入されて前記容器本体の内面当接部に当接して前記第一室と第二室を仕切る当接部を有し且つ前記第二室に連通する開口部を有している中容器と、
前記容器本体を液密に封止する蓋体とを備え、
前記中容器の当接部を前記容器本体の内面当接部から離間させることで前記開口部を通して前記第一室と第二室を連通させるようにしたことを特徴とする二剤混合容器。
【請求項２】
前記蓋体は中容器に設けた口部に液密に連結されていて、前記蓋体を容器本体から緩めることで前記当接部を内面当接部から離間させるようにした請求項１に記載された二剤混合容器。
【請求項３】
前記中容器は開口部の周囲に壁部が形成されていて、前記中容器の当接部を容器本体の内面当接部から離間させた際に第一室内の空気を前記壁部と容器本体との間に形成された間隙から流出可能にした請求項１または２に記載された二剤混合容器。
【請求項４】
前記中容器の底部には前記開口部に対向して流出ガイドが形成されている請求項１乃至３のいずれかに記載された二剤混合容器。
【請求項５】
前記容器本体は略筒状に形成され、前記内面当接部はその口部側に対して第一室側の内径が一段小さくなる段差部に隣接して形成されている請求項１乃至４のいずれかに記載された二剤混合容器。
【発明の詳細な説明】
【技術分野】
【０００１】
本発明は、容器内に別々に収容された二剤を混合可能な二剤混合容器に関する。
【背景技術】
【０００２】
従来、二剤を混合してなる診断薬として、例えば小児の咽頭炎等を引き起こす感染症のＡ群連鎖球菌の診断キットが販売されている。この診断キットの使用方法は次の通りである。
まず、検査に際して二種の試薬Ａ液とＢ液をボトルから抽出用チューブにそれぞれ４滴づつ添加して穏やかに混合する。そして、人体の咽頭等の患部に綿棒をあてて擦過して検体を採取し、この綿棒を抽出用チューブ内の混合試薬（Ａ＋Ｂ）に浸してチューブごと綿棒をしごくことで検体を抽出する。そして、テストストリップを抽出用チューブ内の検体抽出液に浸して所定時間経過後に結果を判定する。このような試薬は事前に混合して保管しておくと変質し、検査に用いることができないので、医療現場で検査時に混合せざるを得ない。
ところで、医療現場において、通常、看護師や検査技師等が試薬Ａと試薬Ｂとを混合する操作を行うが、忙しかったり勘違いしたりする等の理由によりＡ液とＢ液とを取り違えたり、Ａ液とＢ液の混合割合を間違えたりして分量がアンバランスになったりすることがある。このような場合に陰性にも関わらず偽陽性の結果がでたり、陽性にも関わらず偽陰性の結果がでたりするなど、正しい診断結果がでない場合がある。
【０００３】
このような不具合をなくすために、種々の二剤混合容器等が提案されている。例えば、下記特許文献１に記載された二剤混合容器では、胴部がくびれた容器本体に縦長の栓体を挿入してくびれ部に栓体を嵌合させることで、容器本体のくびれ部を挟んで上下が二室に液密に分離される。これらの二室にそれぞれＡ液とＢ液を収容し、容器本体の口部を螺合するキャップの内面に栓体の周溝に嵌合する鍔を取り付ける。
そのため、保管状態では、Ａ液とＢ液は容器本体の二室に分離・収容されており、使用時にキャップを容器本体から外すと栓体が鍔によって一緒に引き抜かれてくびれ部から外される。これによって、上下の二室に分離状態の二剤Ａ，Ｂが自動的に混合されることになる。
【先行技術文献】
【特許文献】
【０００４】
【特許文献１】特開平６−２７８７５０号公報
【発明の概要】
【発明が解決しようとする課題】
【０００５】
ところで、特許文献１に記載された二剤混合容器では、栓体を引き抜くときに容器本体のくびれ部の全周から上室のＢ液が下室に落下するため、下室内の空気の逃げ場がなくＢ液がうまく落下できず、迅速な混合ができないという不具合があった。
本発明は、このような実情に鑑みて、分離状態の二剤をスムーズに混合できるようにした二剤混合容器を提供することを目的とする。
【課題を解決するための手段】
【０００６】
本発明に係る二剤混合容器は、一端に口部を有していると共に内部に第一室を有する容器本体と、内部に第二室を有していて容器本体内に挿入されて容器本体の内面当接部に当接して第一室と第二室を仕切る当接部を有し且つ第二室に連通する開口部を有している中容器と、容器本体を液密に封止する蓋体とを備え、中容器の当接部を容器本体の内面当接部から離間させることで開口部を通して第一室と第二室を連通させるようにしたことを特徴とする。
容器本体の第一室にＡ剤を収容すると共に中容器の第二室にＢ剤を収容して、中容器の当接部と容器本体の内面当接部とを当接させて第一室と第二室を仕切った状態でＡ剤とＢ剤を分離状態に保持することができ、そして、二剤の混合時には蓋体を容器本体から離脱させるか緩めて中容器の当接部を容器本体の内面当接部から離間させ、第二室のＢ剤を開口部を通して第一室のＡ剤と混合させることができる。  
【発明の効果】
【０００７】
本発明による二剤混合容器は、中容器の開口部を介して第二室から容器本体の第一室に第二室のＢ剤が流動すると共に中容器の開口部以外の領域に第一室内の空気が流出するため、空気とＢ剤を置換できてスムーズに二剤を混合させることができる。
【図面の簡単な説明】
【０００８】
【図１】本発明の第一実施例による二剤混合容器の側面図である。
【図２】図１に示す二剤混合容器の中央縦断面図である。
【図３】容器本体の側面図と上面図である。
【図４】中容器の側面図と上下面図である。
【図５】中容器内の底部に形成した流出ガイドを示す斜視図である
【図６】図２における容器本体と中容器の嵌合部を示す拡大断面図である。
【図７】キャップを示すもので、（ａ）は側面図、（ｂ）は断面図である。
【図８】中容器にキャップを嵌合した状態の縦断面図である。
【図９】容器本体の内面当接部から中容器のシールリングを離間した状態の拡大断面図である。
【図１０】二剤混合容器の縦断面図であり、（ａ）は二剤分離状態の図、（ｂ）はキャップを緩めて中容器のシールリングを内面当接部から分離した状態の図、（ｃ）は更に分離してＢ液がＡ液と混合した状態を示す図である。
【図１１】中容器の底部に形成した流出ガイドの変形例を示す図であり、（ａ）は第一の変形例を示す図、（ｂ）は第二の変形例を示す図である。
【図１２】キャップとのシール部を鍔部に設けた中容器の変形例を示す断面図である。
【図１３】二剤混合容器の第一変形例を示すものであって、（ａ）は側面図、（ｂ）は底面図である。
【図１４】（ａ）は図１３に示す容器本体に封止蓋を装着した図、（ｂ）は封止蓋の断面図である。
【図１５】図１３に示す容器本体の縦断面図である。
【図１６】第二変形例による容器本体と封止蓋を分離した図である。
【図１７】第三変形例による容器本体の断面図である。
【図１８】第四変形例による容器本体の断面図である。
【図１９】第五変形例による容器本体の断面図である。
【発明を実施するための形態】
【０００９】
本発明による二剤混合容器では、蓋体は中容器に設けた口部に液密に連結されていて、蓋体を容器本体から緩めることで当接部を内面当接部から離間させるようにしたことを特徴とする。
この二剤混合容器によれば、蓋体を容器本体から緩めると中容器も一体に移動するため、その当接部は容器本体の内面当接部から離間して、第二室を第一室と連通させて二剤を混合できる。
【００１０】
また、中容器は開口部の周囲に壁部が形成されていて、中容器の当接部を容器本体の内面当接部から離間させた際に、第一室内の空気を壁部と容器本体との間に形成された間隙から流出可能にしてもよい。
中容器の開口部及び壁部と容器本体との間に間隙を形成したことで、当接部を内面当接部から離間させた際に、開口部を通して第二室のＢ液が第一室に流れると共に壁部の間隙を通して第一室の空気が逃げるから、第二室のＢ液と第一室の空気との置換をスムーズに行える。
【００１１】
また、中容器の底部には開口部に対向して流出ガイドが形成されていてもよく、これによって、中容器の第二室に収容されたＢ剤が流出ガイドを通して開口部からスムーズに容器本体の第一室に流入してＡ剤と混合する。
また、容器本体は略筒状に形成され、内面当接部はその口部側に対して第一室側の内径が一段小さくなる段差部に隣接して形成されていてもよい。
この構成により、容器本体の段差部と中容器の当接部近傍の開口部及び壁部との間に間隙が形成され、開口部を通して第二室のＢ液が間隙に収容されており、当接部と内面当接部との離間によって間隙を経由してＢ液と第一室の空気との置換がスムーズに行われる。
【００１２】
また、当接部はシールリングであってもよく、内面当接部に当接して確実にシールできる。
また、開口部は中容器の周方向に壁部を介して１つ以上形成されていればよいが、Ｂ剤が第一室に流入しやすくするために２つ以上とすることが好ましく、３つ以上形成されていることが特に好ましい。
これにより、例えば３つ以上の開口部のうち１つ以上から第一室の空気が流入すると共に他の２つ以上からは第二室のＢ液が第一室に流通する。
また、蓋体はキャップであり、その内面に中容器の口部を嵌合させるリング状の突起部が形成されている。これにより、蓋体を緩めることで中容器が一体に移動する。
【実施例】
【００１３】
以下、本発明による二剤混合容器の実施例について添付の図１乃至図１０に基づいて説明する。本実施例による二剤混合容器１に分離状態で収容される二剤、例えばＡ液（Ａ剤）とＢ液（Ｂ剤）は診断時に混合されて使用されるものであり、感染症であるＡ群ベータ溶血連鎖球菌抗原を抽出する試薬である。
図１及び図２に示す本実施例による二剤混合容器１は、二剤のうちの一方であるＡ液を下部に収容した有底の容器本体２と、二剤のうちの他方であるＢ液を収容して容器本体２内に装着される有底の中容器３と、中容器３の口部３ａを嵌合すると共に容器本体２に着脱可能に螺合されて液密に密閉するキャップ４とを備えている。
ここで、容器本体２でＡ液を収容する部分を第一室Ｐとし、中容器３でＢ液を収容する内部を第二室Ｑとする。
【００１４】
容器本体２は上端に口部２ａを有すると共に底部２ｂに向けて次第に内径が小さくなるテーパ筒形状を有しており、途中部分にその上下部分より大きく傾斜したテーパ状の段差部５が形成されている。そして、例えば段差部５の下方側のテーパ形状の円筒状内面の一部は内面当接部を形成するテーパ当接面６とされている。容器本体２の口部２ａ近傍の外周面には雄ねじ部７が形成されている（図３参照）。
図２及び図４に示す中容器３は、口部３ａから底部３ｂに向けて次第に内径が小さくなるテーパ筒状に形成され、底部３ｂに形成した円筒状外周面３ｃには容器本体２のテーパ当接面６に嵌合して全周を液密に封止する当接部としてシールリング８が形成されている。容器本体２と中容器３はいずれも弾性変形可能な合成樹脂で形成されているため、シールリング８がテーパ当接面６に嵌合することで容器本体２の底部２ｂ側の第一室Ｐと口部２ａ側の中容器３を含む第二室Ｑとを液密に分離してシールする。
【００１５】
中容器３において、円筒状外周面３ｃの口部３ａ側には開口部１０が内外を連通して形成されている。開口部１０は周方向に少なくとも１つあればよいが、２つ以上とする場合は壁部１１の幅を小さくした方がＢ液が流出しやすいので、開口部１０を先細の台形形状とすることが好ましい（図４参照）。本実施例では壁部１１を挟んで等間隔に先細の台形形状の開口部１０が３つ形成されている。中容器３内の底部３ｂには例えば円錐台（または円錐）形状の流出ガイド１２が形成され（図５参照）、流出ガイド１２によって中容器３の底部３ｂが閉鎖されている。この形状であれば、開口部１０との対向位置を調整する必要がないので好ましい。
また、図７及び図８に示すキャップ４は内側面に容器本体２の雄ねじ部７と液密に螺合する雌ねじ部１４が形成されている。この雌ねじ部１４には容器本体２の雄ねじ部７との螺合を緩めた際に空気が外部と中容器３及び容器本体２の隙間を通して流出流入するように切り欠けが設けられている（図示せず）。また、キャップ４の内面には中容器３の口部３ａに形成された鍔部１５と液密に嵌合する突起部１６が全周に形成されている。
【００１６】
そして、図２に示すように、容器本体２内に中容器３を挿入してシールリング８で容器本体２のシール当接面６に嵌合させてキャップ４で液密に密閉した状態で、中容器３の外周面と容器本体２の内面とは全周に亘って当接している。その下部で、容器本体２の段差部６を含む内面と中容器３との間にリング状の間隙Ｋが形成されている。
また、この二剤混合容器１の密閉状態で、容器本体２内の底部２ｂと中容器３との間の第一室Ｐには予めＡ液が収容されて、中容器３のシールリング８で液密に封入されており、中容器３内の第二室Ｑには予めＢ液が液密に封入されている。一部のＢ液は開口部１０から容器本体２との間隙Ｋに流出しているがシールリング８で液密に保持されているから、二剤混合容器１の姿勢に関わらずＡ液、Ｂ液の二剤は分離状態に保持される。
容器本体２にキャップ４を螺合させて液密に封止した状態からキャップ４の螺合を緩めて持ち上げると、中容器３がキャップ４と一体に移動するため、テーパ当接面６とシールリング８とが離間し、中容器３と容器本体２の第一室Ｐとが間隙Ｋを介して連通することになる（図９参照）。
【００１７】
この二剤混合容器１の材質はいずれも合成樹脂製であり、例えば容器本体２は低密度ポリエチレン、中容器３はポリエチレン、ポリプロピレン、キャップ４はポリプロピレン等で製造されている。
また、Ａ液、Ｂ液の二剤はＡ群ベータ溶血連鎖球菌抗原を抽出する試薬であり、例えばＡ液は亜硝酸ナトリウム、Ｂ液は酢酸である。二剤混合容器に収容されるＡ液、Ｂ液は例えば共に２００マイクロリットルとされている。
【００１８】
本実施例による二剤混合容器１は上述の構成を備えており、次にその使用方法について説明する。
まず、図１及び図２に示す二剤混合容器１において、容器本体２に中容器３を挿入する前にＡ液を正確に測定して第一室Ｐに注入し、その後に中容器３を挿入して下部外周面３ｃのシールリング８をテーパ当接面６に嵌合して液密に装着する。そして、中容器３内にＢ液を正確に測定して注入する。Ｂ液は開口部１０より高い位置に液面があることが好ましいが、開口部１０の途中に液面があってもよい。容器本体２はテーパ当接面６と中容器３のシールリング８とで液密にシールされているために、Ｂ液はＡ液と分離して保持される。
この状態で、キャップ４を内側面の雌ねじ部１４で容器本体２の雄ねじ部７と螺合させると、中容器３の鍔部１５が突起部１６とキャップ４の内側面とで液密に嵌合される。そのため、二剤混合容器１が保管時や運搬時に倒れてもＡ液とＢ液が混合したりＢ液が外部に漏洩したりしない。
【００１９】
そして、検体の診断に際しては、図１０（ａ）に示す二剤混合容器１の密閉状態から、キャップ４を緩めるとキャップ４が容器本体２から一部外れ（同図（ｂ）参照）、突起部１６で鍔部１５が嵌合されてなる中容器３が一体に容器本体２から外れる方向に移動する。これによって、中容器３のシールリング８が容器本体２のテーパ当接面６から外れて段差部５に移動するため、容器本体２と中容器３との間隙Ｋが増大し、中容器３内のＢ液は開口部１０を経由して間隙Ｋを通って容器本体２の第一室Ｐに落下して流動する。
このとき、中容器３の開口部１０に隣接する壁面１１ではＢ液が第一室Ｐへ流出しないから、容器本体２内の第一室ＰではＡ液側の空気が間隙Ｋに流動する。そのため、第一室Ｐ内でＢ液と空気の置換が起こり、Ｂ液はスムーズに容器本体２内の第一室Ｐ内に流入してＡ液と混ざる。また、間隙Ｋ内に流入した第一室Ｐ内の空気は、中容器４内のＢ液の流出に応じて３つの開口部１０のうち少なくとも１つの開口部１０から中容器３内に流入し、中容器３の第二室Ｑ内のＢ液を他の開口部１０から追い出すのを促進させる。そして、中容器３内のＢ液は円錐台形状の流出ガイド部１２で対向する開口部１０側への流出をガイドされて、開口部１０からスムーズに容器本体２内の第一室Ｐ内に落下し、更にＡ液と混ざる。
また、キャップ４を緩めることで、内部の一部の空気は、雄ねじ部７と雌ねじ部１４の間から容器本体２と中容器３の隙間を通して外部に流出する。これと同時に、雄ねじ部７と雌ねじ部１４の隙間を通って外部の空気が流入して開口部１０から中容器３内に流入する。
【００２０】
なお、開口部１０が１つまたは２つの場合でも、中容器３の内外の圧力差やＢ液の液面の低下により開口部１０から空気が第二室Ｑ内に流入する。
このようにして、容器本体２内の第一室Ｐでは、Ａ液とＢ液が混合させられる。
そして、中容器３とキャップ４を容器本体２から取り外し、検体が綿球に付着した綿棒をＡ液とＢ液の混合液中に浸す。この状態で、容器本体２を外側から指でしごくことで綿球に付着した検体を抽出し、検体を抽出した混合液をイムノクロマト法による診断に使用することができる。例えば、検体を抽出した混合液に、ディップスティック型のイムノクロマト試薬を浸して診断することができる。
或いは、検体を抽出した混合液を二剤混合容器１からイヌノクロマト法による測定器具に滴下して診断してもよい。
【００２１】
上述のように、本実施例による二剤混合容器１は、予め正確に計測して分離状態に収容したＡ液とＢ液を、キャップ４を緩めることで正確且つ簡単に混合することができる。
しかも、Ａ液とＢ液の混合に際して、中容器３の周方向に壁部１１を挟んで開口部１０を形成したから、二剤を混合させる容器本体２内の一室Ｐ内に開口部１０を介してＢ液を流入させると共に一室Ｐ内の空気を中容器３の壁部１１との間の間隙Ｋを通して追い出すことで置換して、スムーズにＡ液とＢ液の混合を行える。また、開口部１０と壁部１１を通してＢ液と第一室Ｐ内の空気との置換をスムーズに行える。
更に、Ａ液とＢ液を分離状態に保持する中容器３のシールリング８は容器本体２のテーパ当接面６に嵌合することで第一室Ｐと第二室Ｑを分離して液密にシールでき、しかもキャップ４の締め込みを緩めることで簡単且つ確実に離間できる。  
【００２２】
次に本実施例の変形例や他の実施例について説明するが、上述した実施例による二剤混合容器１と同一または同様な部材、部品には同一の符号を用いてその説明を省略する。
図１１は流出ガイド部１２の変形例を示すものであり、図１１（ａ）に示す流出ガイド１２Ａは三角錐台または三角錐形状とされている。この三角錐台の各側面は開口部１０に対向する位置に設けることが好ましい。また、図１１（ｂ）に示す流出ガイド１２Ｂは略半球状に形成されている。この形状であれば開口部１０との対向位置を調整する必要はない。
次に図１２は中容器３の変形例を示すものであり、この中容器３では、キャップ４に設けた突起部１６に代えて口部３ａの周囲に形成した鍔部１５の上面にリング状の突起部１８を設けている。容器本体２内に中容器３を嵌合した状態で、中容器３の鍔部１５は容器本体２の口部２ａより突出している。そのため、容器本体２の雄ねじ部７にキャップ４の雌ねじ部１４を締め込んだ際に、中容器３の突起部１８はキャップ４の内面に圧縮変形され、中容器３を液密状態に保持できる。
【００２３】
図１３乃至図１５は本発明の第二実施例による二剤混合容器２０を示すものである。
第二実施例による二剤混合容器２０の第一実施例との相違点は容器本体２の底部２ｂが封止されておらず、開口２ｄを有していると共に内部に濾過用フィルター２１が設けられている。そのため、Ａ液とＢ液の混合液は濾過用フィルター２１を通して滴下可能とされている。
そして、容器本体２の下部には段付き筒部形状をなす滴下用のノズル２２が一体に形成され、その外周面には２本以上の適宜数のリブ２３が所定間隔を以て形成されている。このリブ２３によって封止蓋２４との嵌合調整を簡便に行うことができる。第二実施例では６本のリブ２３が設けられている。このノズル２２の外部には封止蓋２４が液密に嵌合されており、Ａ液とＢ液の混合液がノズル２２を通して漏洩するのを防止している。
なお、リブ２３は図１６に示すように４本設けても良い。また、ノズル２２と封止蓋２４とは螺合構造としても良い。
【００２４】
従って、本第二実施例による二剤混合容器２０によれば、中容器３を容器本体２との嵌合状態から上方に離間させると、Ｂ液が容器本体２の第一室Ｐに流入してＡ液と混合し、その混合液が更に濾過用フィルター２１を通過するようになっている。なお、濾過用フィルター２１はなくても良い。そして、封止蓋２４をノズル２２から外すことで、ノズル２２内の混合液が例えば図示しないイムノクロマト法による診断薬に滴下する。そして、診断等に用いることができる。
【００２５】
次に図１７、図１８、図１９は容器本体２の他の変形例を示すものである。
これらの変形例は容器本体２内でＡ液とＢ液を混合するタイプの二剤混合容器１に関するものである。図１７に示す容器本体２Ｃは底部２ｅが水平型に形成されている。図１８に示す容器本体２Ｄは底部２ｆが半球状に形成されている。図１９に示す容器本体２Ｅは底部２ｇが逆さロート型に形成されている。これらの底部２ｅ〜２ｇは注射針を刺して混合液を抽出できるようにピアッシング用に薄肉に形成してもよい。
【００２６】
なお、中容器３は必ずしも突起部１６によってキャップ４に嵌合されている必要はなく、キャップ４を締め込んだ時に鍔部１５にキャップ４の内面が当接するだけでもよい。この場合でも、キャップ４を外して中容器３を持ち上げれば当接部８はテーパ当接面６と離間するからＡ液とＢ液を混合させることができる。
また、中容器３のシールリング８は中容器３の円筒状外周面３ｃに設けなくてもよく、例えば中容器３の下端にシールリング８を設けると共に、テーパ当接面６を容器本体２の段差部５に形成してもよい。この場合、中容器３の下端の外径を段差部５に当接するように拡径して形成すればよい。
【００２７】
なお、本発明による二剤混合容器は、実施例で説明した診断薬に限定されることなく、薬液、化粧品、ドレッシングや他の調味液等の食品等、適宜の二剤を分離状態に保管しておき使用時や必要時等に混合させる任意の二種の液体やペーストや粉体、粒体等について用いることができる。
【００２８】
また、Ａ液の代わりに粉体でも錠剤でも使用することができる。例えば、胃のレントゲン検査時に患者が水と発泡剤を飲むが、この場合にも、一定量の発泡剤を容器本体に収容し、一定量の水を中容器に収容しておくような使用もできる。
【符号の説明】
【００２９】
１  二剤混合容器
２  容器本体
２ａ、３ａ  口部
３  中容器
４  キャップ
５  段差部
６  テーパ当接面
８  シールリング
１０  開口部
１２、１２Ａ、１２Ｂ  流出ガイド
１５  鍔部
１６、１８  突起部
Ｋ  間隙
Ｐ  第一室
Ｑ  第二室
【図１】
2010202237.tif 000003
【図２】
2010202237.tif 000004
【図３】
2010202237.tif 000005
【図４】
2010202237.tif 000006
【図５】
2010202237.tif 000007
【図６】
2010202237.tif 000008
【図７】
2010202237.tif 000009
【図８】
2010202237.tif 000010
【図９】
2010202237.tif 000011
【図１０】
2010202237.tif 000012
【図１１】
2010202237.tif 000013
【図１２】
2010202237.tif 000014
【図１３】
2010202237.tif 000015
【図１４】
2010202237.tif 000016
【図１５】
2010202237.tif 000017
【図１６】
2010202237.tif 000018
【図１７】
2010202237.tif 000019
【図１８】
2010202237.tif 000020
【図１９】
2010202237.tif 000021